(57)【要約】【課題】周状の発光面を均一に光らせることが可能な画像形成装置を提供する。【解決手段】この画像形成装置（昇華型プリンタ１）は、複数の表示用ＬＥＤ１１と、複数の表示用ＬＥＤ１１を取り囲むように周状に配置される導光部材２３と、平面的に見て、周状の導光部材２３の内側に複数の表示用ＬＥＤ１１に対向するように配置され、表示用ＬＥＤ１１から出射される光を反射する機能を有し、表示用ＬＥＤ１１側に突出するように凸形状に形成される１つの反射部材２２とを備えている。また、導光部材２３は、周状の発光面２３ａと、表示用ＬＥＤ１１から出射される光を発光面２３ａに導く周状の導光部２３ｂとを含む。【選択図】図２
2008155528.tif 000002
【特許請求の範囲】
【請求項１】
表示用の光を出射する複数の発光素子部を備えた画像形成装置において、
前記複数の発光素子部を取り囲むように周状に配置される導光部材と、
平面的に見て、前記周状の導光部材の内側に前記複数の発光素子部に対向するように配置され、前記発光素子部から出射される光を反射する機能を有し、前記発光素子部側に突出するように凸形状に形成される１つの反射部材と、
前記表示用の発光素子部の近傍に設けられた赤外線通信用の受信部と、
前記発光素子部の近傍に配置されるスイッチ部と、
前記発光素子部、前記受信部および前記スイッチ部を覆うように配置され、可視光線を遮るとともに赤外線を透過可能なフィルタ機能を有する赤外線フィルタ部材とをさらに備え、
前記導光部材は、周状の発光面と、前記発光素子部から出射される光を前記発光面に導く周状の導光部とを含むとともに、押圧方向に移動可能に構成されており、
前記反射部材は、平面的に見て、前記複数の発光素子部が配置された領域の中央部近傍に前記凸形状の頂部を有し、実質的に円錐形状に形成され、
前記赤外線フィルタ部材は、前記スイッチ部に対向する位置に配置されたスイッチ押圧部を含むとともに、前記導光部材に取り付けられている、画像形成装置。
【請求項２】
表示用の光を出射する複数の発光素子部と、
前記複数の発光素子部を取り囲むように周状に配置される導光部材と、
平面的に見て、前記周状の導光部材の内側に前記複数の発光素子部に対向するように配置され、前記発光素子部から出射される光を反射する機能を有し、前記発光素子部側に突出するように凸形状に形成される１つの反射部材とを備え、
前記導光部材は、周状の発光面と、前記発光素子部から出射される光を前記発光面に導く周状の導光部とを含む、画像形成装置。
【請求項３】
前記反射部材は、平面的に見て、前記複数の発光素子部が配置された領域の中央部近傍に前記凸形状の頂部を有する、請求項２に記載の画像形成装置。
【請求項４】
前記反射部材は、実質的に円錐形状に形成される、請求項２または３に記載の画像形成装置。
【請求項５】
前記表示用の発光素子部の近傍に設けられた赤外線通信用の受信部と、
前記発光素子部の近傍に配置されるスイッチ部と、
前記発光素子部、前記受信部および前記スイッチ部を覆うように配置され、可視光線を遮るとともに赤外線を透過可能なフィルタ機能を有する赤外線フィルタ部材とをさらに備え、
前記導光部材は、押圧方向に移動可能に構成されており、
前記赤外線フィルタ部材は、前記スイッチ部に対向する位置に配置されたスイッチ押圧部を含むとともに、前記導光部材に取り付けられている、請求項２〜４のいずれか１項に記載の画像形成装置。
【発明の詳細な説明】
【技術分野】
【０００１】
この発明は、画像形成装置に関し、特に、表示用の光を出射する複数の発光素子部を備えた画像形成装置に関する。
【背景技術】
【０００２】
従来、表示用の光を出射する複数の発光素子部を有するスイッチやボタン（たとえば、特許文献１〜４参照）、またはそのようなスイッチやボタンを含む画像形成装置が知られている。
【０００３】
上記特許文献１には、キートップ（押しボタン）の外側に周状に設けられた透明樹脂（導光部材）と、平面的に見て、周状の透明樹脂の外側に配置された複数の光源（発光素子部）とを備えたスイッチが開示されている。この特許文献１によるスイッチでは、透明樹脂は、平面的に見て、複数の光源の内側に配置される周状の発光部（発光面）および導光部と、光源に対向するように周状の発光部の外側に配置され、光源から出射された光を内側方向に反射する周状の反射部とを含んでいる。これにより、光源から出射された光は、周状の反射部により内側方向に向かって反射されるので、周状の導光部は外側から照射され、周状の発光部を全周にわたって光らせる。
【０００４】
また、上記特許文献２には、ボタン部の外側に周状に設けられた発光部（発光面）を有する光誘導部（導光部材）と、平面的に見て、周状の発光部の内側に配置された複数の光源（発光素子部）とを備えた押下釦が開示されている。この特許文献２による押下釦では、光誘導部は、光源側に突出するように凸形状に形成されており、光源から出射された光が、平面的に見て、周状の発光部の内側の光源に対向する部分から光誘導部に入射する構成となっている。これにより、光源から出射された光は、周状の発光部の内側から光誘導部に入射され、光誘導部の内部で反射を繰り返しながら、光源の外側に配置された周状の発光部に導かれる。このため、周状の発光部を全周にわたって光らせることが可能である。
【０００５】
また、上記特許文献３には、円板状の一方表面を発光面とする押しボタン部（導光部材）と、押しボタン部の下側（他方表面側）に配置され、下側に突出するように凸形状に形成された錐体形状の押し子部（導光部材）と、押し子部の側面に光を照射する複数の発光素子部とを備えた押しボタンが開示されている。この特許文献３による押しボタンでは、発光素子部から出射された光は、錐体形状の押し子部の側面全体に照射されて、押し子部の上側に配置された円板状の発光面全体を光らせる。
【０００６】
また、上記特許文献４には、板状の一方表面を発光面とするダイヤルボタン部（導光部材）と、平面的に見て、ダイヤルボタン部の外側に設置された複数の発光ダイオード（発光素子部）と、発光ダイオードに対向する位置に配置された反射板と、発光ダイオードが設置される印刷配線板とを備えたダイヤルボタンが開示されている。この特許文献４によるダイヤルボタンでは、発光ダイオードから出射された光は、反射板に照射されて反射し、印刷配線基板に照射される。その後、印刷配線基板に照射された反射光は、印刷配線基板によってさらに反射されて、ダイヤルボタンの板状の発光面を光らせる。
【０００７】
【特許文献１】特開２００６−１９０５９８号公報
【特許文献２】特開２００６−１４７４９８号公報
【特許文献３】特開２００４−７９２３２号公報
【特許文献４】実開平０５−３１０３９号公報
【発明の開示】
【発明が解決しようとする課題】
【０００８】
しかしながら、上記特許文献１に記載のスイッチでは、周状の反射部は、周状の発光部および導光部の外側に配置されているため、周状の発光部および導光部の直径を大きくする場合、周状の反射部の直径もそれに合わせて大きくする必要がある。この場合、光源の数を一定とすると、周状の発光部および導光部の直径の大きさによっては、周状の反射部に光が照射されない範囲が生じ、導光部にも反射光が照射されない範囲が生じる場合がある。このため、周状の発光部を均一に光らせることが困難であるという問題点がある。
【０００９】
また、上記特許文献２に記載の押下釦では、光源から出射された光を、周状の発光部の内側から光誘導部に入射し、光誘導部の内部で反射を繰り返しながら、光源の外側に配置された周状の発光部に導くので、光誘導部を複雑な形状に形成する必要がある。このため、光源からの光を容易に発光部に導くことが困難であるので、周状の発光部を均一に光らせることが困難であるという問題点がある。
【００１０】
また、上記特許文献３に記載の押しボタンおよび上記特許文献４に記載のダイヤルボタンでは、円板状および板状の発光面を光らせることが前提であるので、周状の発光面を光らせることが困難であるという問題点がある。
【００１１】
したがって、このようなスイッチやボタンを、スイッチやボタンの発光面が周状に配置される構造の画像形成装置に用いた場合に、画像形成装置のスイッチやボタンなどの周状の発光面を、均一に光らせることが困難であるという問題点がある。
【００１２】
この発明は、上記のような課題を解決するためになされたものであり、この発明の１つの目的は、周状の発光面を均一に光らせることが可能な画像形成装置を提供することである。
【課題を解決するための手段および発明の効果】
【００１３】
この発明の第１の局面による画像形成装置は、表示用の光を出射する複数の発光素子部を備えた画像形成装置において、複数の発光素子部を取り囲むように周状に配置される導光部材と、平面的に見て、周状の導光部材の内側に複数の発光素子部に対向するように配置され、発光素子部から出射される光を反射する機能を有し、発光素子部側に突出するように凸形状に形成される１つの反射部材と、表示用の発光素子部の近傍に設けられた赤外線通信用の受信部と、発光素子部の近傍に配置されるスイッチ部と、発光素子部、受信部およびスイッチ部を覆うように配置され、可視光線を遮るとともに赤外線を透過可能なフィルタ機能を有する赤外線フィルタ部材とをさらに備え、導光部材は、周状の発光面と、発光素子部から出射される光を発光面に導く周状の導光部とを含むとともに、押圧方向に移動可能に構成され、反射部材は、平面的に見て、複数の発光素子部が配置された領域の中央部近傍に凸形状の頂部を有し、実質的に円錐形状に形成され、赤外線フィルタ部材は、スイッチ部に対向する位置に配置されたスイッチ押圧部を含むとともに、導光部材に取り付けられている。
【００１４】
この第１の局面による画像形成装置では、上記のように、平面的に見て、周状の発光面を含む周状の導光部材の内側に、複数の発光素子部に対向するように配置され、発光素子部から出射される光を反射する機能を有し、発光素子部側に突出するように凸形状に形成される１つの反射部材を設けることによって、複数の発光素子部から出射された光を、平面的に見て、凸形状の反射部材により外側方向に広がるように反射させることができる。これにより、周状の発光面の直径を大きくする場合にも、外側に配置された周状の導光部の内周側面全体を照射することができるので、発光素子部の数を増加させることなく、周状の発光面を均一に光らせることができる。
【００１５】
また、第１の局面による画像形成装置では、反射部材を、平面的に見て、複数の発光素子部が配置された領域の中央部近傍に凸形状の頂部を有するように構成することによって、複数の発光素子部から出射された光を、平面的に見て、凸形状の反射部材により外側方向に、均一に広がるように反射させることができる。これにより、外側に配置された周状の導光部の内周側面全体を、均一に照射することができるので、周状の発光面をより均一に光らせることができる。また、反射部材を、実質的に円錐形状に形成することによって、複数の発光素子部から出射された光を、平面的に見て、凸形状の反射部材により外側方向に、より均一に広がるように反射させることができる。これにより、外側に配置された周状の導光部の内周側面全体を、より均一に照射することができるので、周状の発光面をさらに均一に光らせることができる。また、表示用の発光素子部の近傍に設けられた赤外線通信用の受信部と、発光素子部の近傍に配置されるスイッチ部と、発光素子部、受信部およびスイッチ部を覆うように配置され、可視光線を遮るとともに赤外線を透過可能なフィルタ機能を有する赤外線フィルタ部材とをさらに備え、導光部材を、押圧方向に移動可能に構成し、赤外線フィルタ部材を、スイッチ部に対向する位置に配置されたスイッチ押圧部を含むとともに、導光部材に取り付けるように構成することによって、赤外線フィルタ部材を押圧することにより、スイッチ押圧部をスイッチ部に押圧させることができるので、赤外線フィルタ部材を押圧ボタンとして機能させることができる。
【００１６】
この発明の第２の局面による画像形成装置は、表示用の光を出射する複数の発光素子部と、複数の発光素子部を取り囲むように周状に配置される導光部材と、平面的に見て、周状の導光部材の内側に複数の発光素子部に対向するように配置され、発光素子部から出射される光を反射する機能を有し、発光素子部側に突出するように凸形状に形成される１つの反射部材とを備え、導光部材は、周状の発光面と、発光素子部から出射される光を発光面に導く周状の導光部とを含む。
【００１７】
この第２の局面による画像形成装置では、上記のように、平面的に見て、周状の発光面を含む周状の導光部材の内側に、複数の発光素子部に対向するように配置され、発光素子部から出射される光を反射する機能を有し、発光素子部側に突出するように凸形状に形成される１つの反射部材を設けることによって、複数の発光素子部から出射された光を、平面的に見て、凸形状の反射部材により外側方向に広がるように反射させることができる。これにより、周状の発光面の直径を大きくする場合にも、外側に配置された周状の導光部の内周側面全体を照射することができるので、発光素子部の数を増加させることなく、周状の発光面を均一に光らせることができる。
【００１８】
上記第２の局面による画像形成装置においては、好ましくは、反射部材は、平面的に見て、複数の発光素子部が配置された領域の中央部近傍に凸形状の頂部を有する。このように構成すれば、複数の発光素子部から出射された光を、平面的に見て、凸形状の反射部材により外側方向に、均一に広がるように反射させることができる。これにより、外側に配置された周状の導光部の内周側面全体を、均一に照射することができるので、周状の発光面をより均一に光らせることができる。
【００１９】
上記第２の局面による画像形成装置においては、好ましくは、反射部材は、実質的に円錐形状に形成される。このように構成すれば、複数の発光素子部から出射された光を、平面的に見て、凸形状の反射部材により外側方向に、より均一に広がるように反射させることができる。これにより、外側に配置された周状の導光部の内周側面全体を、より均一に照射することができるので、周状の発光面をさらに均一に光らせることができる。
【００２０】
上記第２の局面による画像形成装置においては、好ましくは、表示用の発光素子部の近傍に設けられた赤外線通信用の受信部と、発光素子部の近傍に配置されるスイッチ部と、発光素子部、受信部およびスイッチ部を覆うように配置され、可視光線を遮るとともに赤外線を透過可能なフィルタ機能を有する赤外線フィルタ部材とをさらに備え、導光部材は、押圧方向に移動可能に構成されており、赤外線フィルタ部材は、スイッチ部に対向する位置に配置されたスイッチ押圧部を含むとともに、導光部材に取り付けられている。このように構成すれば、赤外線フィルタ部材を押圧することにより、スイッチ押圧部をスイッチ部に押圧させることができるので、赤外線フィルタ部材を押圧ボタンとして機能させることができる。
【発明を実施するための最良の形態】
【００２１】
以下、本発明を具体化した実施形態を図面に基づいて説明する。
【００２２】
図１は、本発明の一実施形態による昇華型プリンタの全体構成を示した斜視図である。図２〜図１８は、図１に示した本発明の一実施形態による昇華型プリンタの詳細を示す図である。まず、図１〜図１８を参照して、本発明の一実施形態による昇華型プリンタの構造について説明する。なお、本実施形態では、画像形成装置の一例である昇華型プリンタに本発明を適用した場合について説明する。
【００２３】
本実施形態による昇華型プリンタ１は、図１に示すように、筐体１０と、筐体１０内部に収納される印画部（図示せず）と、筐体上面１０ａに配置される電源ボタン２０とを備えている。筐体１０の矢印Ａ方向の筐体前面１０ｂには、用紙３０が収納される用紙カセット４０が着脱可能に装置されている。なお、本実施形態では、昇華型プリンタ１と赤外線通信が可能な機器として、図１に示すように、カメラ機能を有する携帯電話５０を想定している。
【００２４】
また、図１に示すように、筐体１０は、上述の筐体上面１０ａ、矢印Ａ方向の筐体前面１０ｂに加えて、矢印Ｂ方向の筐体背面１０ｃ、筐体下面１０ｄ、矢印Ｃ方向の筐体側面１０ｅおよび矢印Ｄ方向の筐体側面１０ｆによって構成されている。また、図１および図２に示すように、筐体上面１０ａには、電源ボタン２０を取り付けるための開口部１０ｇと、開口部１０ｇの前方側（矢印Ａ方向側）の内面に、電源ボタン２０を取り付けるための突起部（ボス部）１０ｈ（図２参照）が一体的に設けられている。また、筐体前面１０ｂには、図１に示すように、用紙カセット４０を取り付けるための用紙カセット取付口１０ｉが設けられている。
【００２５】
また、筐体１０の内部の図示しない印画部の上方には、表示用の光を出射する４つの表示用ＬＥＤ１１（図２参照）と、約３０度（±約１５度）の範囲で携帯電話５０から赤外線信号を受信可能な赤外線受信部１２（図２参照）とが配置されている。なお、表示用ＬＥＤ１１は、本発明の「発光素子部」の一例であり、赤外線受信部１２は、本発明の「受信部」の一例である。また、４つの表示用ＬＥＤ１１は、図２および図３に示すように、水平に設置された基板１３に配置されている。また、基板１３には、４つの表示用ＬＥＤ１１に取り囲まれる位置にスイッチ部１３ａが配置されるとともに、４つの表示用ＬＥＤ１１の矢印Ｃ方向側および矢印Ｄ方向側にそれぞれ電子部品１３ｂおよび１３ｃが配置されている。また、赤外線受信部１２は、図２に示すように、水平方向に対して約１５度上向きの方向（矢印Ｇ方向）に設置された基板１４に配置されている。これによって、約３０度（±約１５度）の範囲で赤外線信号の受信が可能な赤外線受信部１２は、筐体１０が水平に設置された状態において、約１５度上向きの方向に対して±約１５度の範囲（水平面から上方側に約３０度の範囲）で赤外線信号を受信することが可能となる。また、基板１４には、赤外線受信部１２の後方側（矢印Ｂ方向側）に電子部品１４ａ、１４ｂおよび１４ｃが設置されている。また、図２および図３に示すように、基板１４は、台座１５に配置される基板台１５ａによって支持されている。また、台座１５の上面の基板台１５ａの後方側（矢印Ｂ方向側）には、脚部１６（図２参照）を介して基板１３が設置されている。また、図示しない印画部と台座１５との間には、図２に示すように、メイン基板１７と、天板１８とが配置されている。また、メイン基板１７の上面には、筐体上面１０ａに設けられた開口部１０ｇに対向する位置に、台座１５が２つのネジ１９によって取り付けられている。これによって、４つの表示用ＬＥＤ１１、赤外線受信部１２およびスイッチ部１３ａは、平面的に見て、開口部１０ｇの内側の位置に配置される。
【００２６】
ここで、本実施形態では、図２、図４〜図７に示すように、電源ボタン２０は、赤外線フィルタ部材２１と、反射部材２２と、周状の導光部材２３と、ボタン支持部２４とによって構成されている。また、電源ボタン２０は、表示用ＬＥＤ１１、スイッチ部１３ａおよび赤外線受信部１２を覆うように筐体上面１０ａ（図２および図７参照）の開口部１０ｇに取り付けられている。
【００２７】
また、図２および図７〜図９に示すように、赤外線フィルタ部材２１はドーム形状を有し、可視光線を遮るとともに赤外線を透過可能なフィルタ機能を有する。また、赤外線フィルタ部材２１には、スイッチ部１３ａに対向する位置にスイッチ押圧部２１ａが一体的に形成されている。
【００２８】
また、本実施形態では、図２、図７、図１０〜図１３に示すように、反射部材２２は、表示用ＬＥＤ１１から出射される光を反射する機能を有するとともに、実質的に円錐形状に形成されている。また、反射部材２２は、平面的に見て、周状の導光部材２３の内側で、４つの表示用ＬＥＤ１１に対向する位置に設けられている。また、反射部材２２は、図２および図７に示すように、表示用ＬＥＤ１１側（下側）に突出するように凸形状に形成され、４つの表示用ＬＥＤ１１が配置された領域の中央部近傍に、凸形状の頂部が配置されている。これにより、図７に示すように、表示用ＬＥＤ１１から出射された光を、反射部材２２の外側方向に広がるように反射させることが可能となる。また、反射部材２２の頂部には、赤外線フィルタ部材２１のスイッチ押圧部２１ａを挿入するための開口２２ａが形成されている。また、図５に示すように、反射部材２２は、赤外線フィルタ部材２１のスイッチ押圧部２１ａが、反射部材２２の開口２２ａに矢印Ｆ方向に挿入され、両面テープ（図示せず）によって赤外線フィルタ部材２１の内面に取り付けられている。
【００２９】
また、本実施形態では、図２、図７、図１４および図１５に示すように、導光部材２３は、表示用ＬＥＤ１１（図２および図７参照）を取り囲むように周状に形成された発光面２３ａと、発光面２３ａに光を導く周状の導光部２３ｂとを含む。また、導光部２３ｂの内周側面には、赤外線フィルタ部材２１を取り付けるための凸部２３ｃが一体的に全周に形成されている。また、導光部材２３の発光面２３ａ、導光部２３ｂの下面２３ｄおよび外周側面２３ｅには、シボ加工により、光を拡散させる微細な凹凸形状が形成されている。これによって、発光面２３ａでは、光を拡散した状態で発光することが可能となるので、発光面２３ａを均一に光らせることが可能となる。また、下面２３ｄおよび外周側面２３ｅでは、導光部２３ｂの内部の光を拡散した状態で反射することが可能となるので、光を拡散した状態で発光面２３ａに導くことが可能となる。これにより、発光面２３ａをより均一に光らせることが可能である。また、下面２３ｄでは、筐体１０の外側から入射した光が下面２３ｄを透過する際に、光を拡散させることが可能であるので、筐体１０の外側から導光部２３ｂを介して筐体１０の内部が見えるのを、抑制することが可能である。
【００３０】
また、図２、図７、図１６および図１７に示すように、ボタン支持部２４は、筐体上面１０ａ（図２参照）の突起部１０ｈ（図２参照）に取り付けるための取付部２４ａと、導光部２３ｂ（図２および図７参照）の外周側面２３ｅと接するように内周面２４ｂが形成されるリング部２４ｃと、取付部２４ａとリング部２４ｃとを繋ぐアーム部２４ｄとによって構成されている。また、取付部２４ａは、突起部１０ｈに挿入（圧入）可能な挿入孔２４ｅを有する。また、図２に示すように、取付部２４ａは、挿入孔２４ｅに突起部１０ｈが軽圧入されることによって、上部が筐体上面１０ａに取り付けられるとともに、下面が天板１８の上面に接するように構成されている。このようにして、ボタン支持部２４の取付部２４ａは、固定されている。また、リング部２４ｃは、内周面２４ｂの下部に導光部材２３が抜け落ちるのを防止するＬ字形状の受け部２４ｆを有する。また、図５に示すように、リング部２４ｃに、赤外線フィルタ部材２１が取り付けられた導光部材２３が矢印Ｆ方向に挿入されて、電源ボタン２０が組み立てられる。また、アーム部２４ｄは、一方端部が取付部２４ａの上端に固定されるとともに、他方端部がリング部２４ｃの下面に固定されている。つまり、組み立てられた電源ボタン２０は、固定された取付部２４ａから伸びるアーム部２４ｄによって支持されている。具体的には、図１８に示すように、ボタン支持部２４の取付部２４ａが固定された電源ボタン２０は、矢印Ｆ方向の押圧力Ｐに対して、アーム部２４ｄが、アーム部２４ｄの取付部２４ａ側の一方端部を支点として撓むことによって、押圧方向（矢印Ｆ方向）に移動可能に支持されている。これによって、電源ボタン２０が、矢印Ｆ方向に押圧されると、アーム部２４ｄが取付部２４ａ側の一方端部を支点として撓むので、赤外線フィルタ部材２１に設けられたスイッチ押圧部２１ａは、押圧方向に移動され、スイッチ部１３ａが押圧される。また、押圧力Ｐが解除されると、撓み変形されたアーム部２４ｄの上方への付勢力によって上方に移動されて、電源ボタン２０は元の位置に復帰される。
【００３１】
本実施形態では、上記のように、平面的に見て、周状の発光面２３ａを含む周状の導光部材２３の内側に、４つの表示用ＬＥＤ１１に対向するように配置され、表示用ＬＥＤ１１から出射される光を反射する機能を有し、表示用ＬＥＤ１１側に突出するように凸形状に形成される１つの反射部材２２を設けることによって、４つの表示用ＬＥＤ１１から出射された光を、平面的に見て、凸形状の反射部材２２により外側方向に広がるように反射させることができる。これにより、周状の発光面２３ａの直径を大きくする場合にも、外側に配置された周状の導光部２３ｂの内周側面全体を照射することができるので、表示用ＬＥＤ１１の数を増加させることなく、周状の発光面２３ａを均一に光らせることができる。
【００３２】
また、本実施形態では、反射部材２２を、平面的に見て、４つの表示用ＬＥＤ１１が配置された領域の中央部近傍に凸形状の頂部を配置することによって、４つの表示用ＬＥＤ１１から出射された光を、平面的に見て、凸形状の反射部材２２により外側方向に、均一に広がるように反射させることができる。これにより、外側に配置された周状の導光部２３ｂの内周側面全体を、均一に照射することができるので、周状の発光面２３ａをより均一に光らせることができる。
【００３３】
また、本実施形態では、反射部材２２を、実質的に円錐形状に形成することによって、４つの表示用ＬＥＤ１１から出射された光を、平面的に見て、凸形状の反射部材２２により外側方向に、より均一に広がるように反射させることができる。これにより、外側に配置された周状の導光部２３ｂの内周側面全体を、より均一に照射することができるので、周状の発光面２３ａをさらに均一に光らせることができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
たとえば、上記実施形態では、画像形成装置の一例としての昇華型プリンタに本発明を適用した例を示したが、本発明はこれに限らず、表示用の光を出射する発光素子部を備えた画像形成装置であれば、昇華型プリンタ以外の他の画像形成装置にも適用可能である。
【００３６】
また、上記実施形態では、反射部材を実質的に円錐形状に形成した例を示したが、本発明はこれに限らず、反射部材を表示用ＬＥＤ側に突出するように凸形状に形成すれば、他の形状に形成してもよい。
【００３７】
また、反射部材の材質には、光を反射することが可能な反射シートやアルミ材などを用いてもよい。
【００３８】
また、上記実施形態では、赤外線通信が可能な機器として携帯電話を示したが、本発明はこれに限らず、赤外線通信が可能な機器であれば、携帯電話以外の他の機器を用いてもよい。
【図面の簡単な説明】
【００３９】
【図１】本発明の一実施形態による昇華型プリンタの全体構成を示した斜視図である。
【図２】図１の１００−１００線に沿った断面図である。
【図３】図１に示した本発明の一実施形態による昇華型プリンタの表示用ＬＥＤ周辺を示す平面図である。
【図４】図１に示した本発明の一実施形態による昇華型プリンタの電源ボタン周辺を示す斜視図である。
【図５】図１に示した本発明の一実施形態による昇華型プリンタの電源ボタン周辺の構成を示す分解斜視図である。
【図６】図１に示した本発明の一実施形態による昇華型プリンタの電源ボタン周辺を示す平面図である。
【図７】図６の２００−２００線に沿った断面図である。
【図８】図１に示した本発明の一実施形態による昇華型プリンタの赤外線フィルタ部材を示す平面図である。
【図９】図１に示した本発明の一実施形態による昇華型プリンタの赤外線フィルタ部材を示す側面図である。
【図１０】図１に示した本発明の一実施形態による昇華型プリンタの反射部材を示す斜視図である。
【図１１】図１に示した本発明の一実施形態による昇華型プリンタの反射部材を示す平面図である。
【図１２】図１１に示した本発明の一実施形態による昇華型プリンタの反射部材の矢印Ｑ１方向から見た図である。
【図１３】図１１に示した本発明の一実施形態による昇華型プリンタの反射部材の矢印Ｑ２方向から見た図である。
【図１４】図１に示した本発明の一実施形態による昇華型プリンタの導光部材を示す平面図である。
【図１５】図１に示した本発明の一実施形態による昇華型プリンタの導光部材を示す側面図である。
【図１６】図１に示した本発明の一実施形態による昇華型プリンタのボタン支持部を示す平面図である。
【図１７】図１に示した本発明の一実施形態による昇華型プリンタのボタン支持部を示す側面図である。
【図１８】図１に示した本発明の一実施形態による昇華型プリンタの電源ボタンの構造を説明するための断面図である。
【符号の説明】
【００４０】
１        昇華型プリンタ（画像形成装置）
１１      表示用ＬＥＤ（発光素子部）
１２      赤外線受信部（受信部）
１３ａ    スイッチ部
２１      赤外線フィルタ部材
２１ａ    スイッチ押圧部
２２      反射部材
２３      導光部材
２３ａ    発光面
２３ｂ    導光部
【図１】
2008155528.tif 000003
【図２】
2008155528.tif 000004
【図３】
2008155528.tif 000005
【図４】
2008155528.tif 000006
【図５】
2008155528.tif 000007
【図６】
2008155528.tif 000008
【図７】
2008155528.tif 000009
【図８】
2008155528.tif 000010
【図９】
2008155528.tif 000011
【図１０】
2008155528.tif 000012
【図１１】
2008155528.tif 000013
【図１２】
2008155528.tif 000014
【図１３】
2008155528.tif 000015
【図１４】
2008155528.tif 000016
【図１５】
2008155528.tif 000017
【図１６】
2008155528.tif 000018
【図１７】
2008155528.tif 000019
【図１８】
2008155528.tif 000020